(57)【要約】【課題】安全性と景観性とを向上させることができる、吊り足場の端部に用いられる端部用部材およびそれを備えた吊り足場を提供すること。【解決手段】吊り足場の端部において水平方向に延びるように配置された水平単管に連結されて、使用される端部用部材は、水平単管を把持する把持部材と、水平単管と平行となるように直線状に延びて把持部材が下側に固着された第１の直管部と、第１の直管部から吊り足場の外側に向かって上方へ湾曲する湾曲部と、湾曲部から直線状に延びる第２の直管部と、を含む単管としての単管部材と、を備える。【選択図】図１
2016169575.tif 000002
【特許請求の範囲】
【請求項１】
吊り足場の端部において水平方向に延びるように配置された水平単管に連結されて、使用される端部用部材であって、
水平単管を把持する把持部材と、
水平単管と平行となるように直線状に延びて把持部材が下側に固着された第１の直管部と、第１の直管部から吊り足場の外側に向かって上方へ湾曲する湾曲部と、湾曲部から直線状に延びる第２の直管部と、を含む単管としての単管部材と、を備える、吊り足場における端部用部材。
【請求項２】
単管部材における第１および第２の直管部が互いに直交する方向に延びるように、湾曲部は９０度にて湾曲する、請求項１に記載の端部用部材。
【請求項３】
単管部材は、単管部材の延長部として機能する別の単管を結合させるための結合部材を第２の直管部の内側に有する、請求項１又は２に記載の端部用部材。
【請求項４】
把持部材は、単クランプである、請求項１から３のいずれか１つに記載の端部用部材。
【請求項５】
把持部材は、少なくとも２つ設けられる、請求項１から４のいずれか１つに記載の端部用部材。
【請求項６】
請求項１から５のいずれか１つに記載の端部用部材と、
端部用部材が有する把持部材によって把持される第１の水平単管と、
第１の水平単管上において端部用部材が配置される場所とは異なる場所に固定され、第１の水平単管と交差するように水平方向に延びる第２の水平単管と、
第２の水平単管上に配置される複数の第１の足場板と、
端部用部材における第１の直管部上に配置される第２の足場板と、を備える、吊り足場。
【請求項７】
単管部材の第２の直管部内に挿通され、結合部材により単管部材と結合した単管をさらに備える、請求項６に記載の吊り足場。
【発明の詳細な説明】
【技術分野】
【０００１】
本発明は、吊り足場の端部に用いられる端部用部材およびそれを備えた吊り足場に関する。
【背景技術】
【０００２】
従来より、吊り足場における端部構造が提案されている（例えば、特許文献１）。
【０００３】
特許文献１で提案される端部構造においては、水平方向に延びる単管と、鉛直方向に延びる単管とを互いに固定し、端部構造を形成する。
【先行技術文献】
【特許文献】
【０００４】
【特許文献１】特開第２００８−２５７００号公報
【発明の概要】
【発明が解決しようとする課題】
【０００５】
しかしながら、昨今では、より安全な吊り足場を組み立てることが求められている。特許文献１の端部構造では、２つの単管を直交させて固定しているため、外側に落下防止用の部材（シート、パネル、ネットなど）を張る際には、単管の交差部分において外側に突出した部分により、これらの部材を完全に密着させることができない場合がある。これにより、吊り足場の端部構造に隙間が生じうることとなり、より安全な吊り足場を組み立てるという点では未だ改善の余地があるといえる。また、２つの単管を直交させた端部構造では、景観性の観点でも改善の余地があるといえる。
【０００６】
従って、本発明の目的は、安全性と景観性とを向上させた、吊り足場の端部に用いられる端部用部材およびそれを備えた吊り足場を提供することにある。
【課題を解決するための手段】
【０００７】
上記目的を達成するために、本発明は以下のように構成する。
【０００８】
本発明の一態様によれば、吊り足場の端部において水平方向に延びるように配置された水平単管に連結されて、使用される端部用部材であって、水平単管を把持する把持部材と、水平単管と平行となるように直線状に延びて把持部材が下側に固着された第１の直管部と、第１の直管部から吊り足場の外側に向かって上方へ湾曲する湾曲部と、湾曲部から直線状に延びる第２の直管部と、を含む単管としての単管部材と、を備える端部用部材を提供する。
【発明の効果】
【０００９】
本発明の端部用部材およびそれを備えた吊り足場は、安全性と景観性とを向上させることができる。
【図面の簡単な説明】
【００１０】
【図１】実施の形態にかかる端部用部材の斜視図
【図２】実施の形態にかかる端部用部材が取り付けられる吊り足場の斜視図
【図３】図１に示す端部用部材を図２に示す吊り足場の端部に取り付けた状態を示す縦断面図
【図４】図３の平面図
【発明を実施するための形態】
【００１１】
本発明の第１態様によれば、吊り足場の端部において水平方向に延びるように配置された水平単管に連結されて、使用される端部用部材であって、水平単管を把持する把持部材と、水平単管と平行となるように直線状に延びて把持部材が下側に固着された第１の直管部と、第１の直管部から吊り足場の外側に向かって上方へ湾曲する湾曲部と、湾曲部から直線状に延びる第２の直管部と、を含む単管としての単管部材と、を備える、吊り足場における端部用部材を提供する。このような構成によれば、単管部材の外側に落下防止用のシートやパネルなどを張る際に、単管部材における湾曲部に沿うようにシートやパネルを密着させることができ、安全性を向上させることができる。また、単管部材に湾曲部を形成して曲線状とすることにより、景観性を向上させることができる。すなわち、安全性と景観性とを向上させることができる。
【００１２】
本発明の第２態様によれば、単管部材における第１および第２の直管部が互いに直交する方向に延びるように、湾曲部は９０度にて湾曲する、第１態様に記載の端部用部材を提供する。これにより、安全性と景観性とをさらに向上させることができる。
【００１３】
本発明の第３態様によれば、単管部材は、単管部材の延長部として機能する別の単管を結合させるための結合部材を第２の直管部の内側に有する、第１態様又は第２態様に記載の端部用部材を提供する。これにより、単管部材の外側に結合部材を設ける場合に比べて、景観性を向上させることができる。
【００１４】
本発明の第４態様によれば、把持部材は、単クランプである、第１態様から第３態様のいずれか１つに記載の端部用部材を提供する。
【００１５】
本発明の第５態様によれば、把持部材は、少なくとも２つ設けられる、第１態様から第４態様のいずれか１つに記載の端部用部材を提供する。これにより、単管をより安定した状態で固定することができ、安全性を向上させることができる。
【００１６】
本発明の第６態様によれば、第１態様から第５態様のいずれか１つに記載の端部用部材と、端部用部材が有する把持部材によって把持される第１の水平単管と、第１の水平単管上において端部用部材が配置される場所とは異なる場所に固定され、第１の水平単管と交差するように水平方向に延びる第２の水平単管と、第２の水平単管上に配置される複数の第１の足場板と、端部用部材における第１の直管部上に配置される第２の足場板と、を備える、吊り足場を提供する。このような構成によれば、第１、第２の足場板のそれぞれの高さ位置を揃えるような構成が可能となるため、吊り足場の安全性を向上させることができる。
【００１７】
本発明の第７態様によれば、単管部材の第２の直管部内に挿通され、結合部材により単管部材と結合した単管をさらに備える、第６態様に記載の端部用部材を提供する。
【００１８】
（実施の形態）
以下、本発明の吊り足場の端部に取り付けられる端部用部材およびそれを備えた吊り足場に係る実施の形態について、添付の図面を参照しながら説明する。なお、本発明の端部用部材およびそれを備えた吊り足場は、以下の実施の形態に記載した構成に限定されるものではない。
【００１９】
図１は、実施の形態における端部用部材１の斜視図である。図２は、実施の形態における端部用部材１が取り付けられる吊り足場７の斜視図である。図３、４は、図１に示す端部用部材１を図２に示す吊り足場７に取り付けた状態の縦断面図、平面図である。
【００２０】
図１に示すように、本実施の形態における端部用部材１は、大略Ｌ字状の単管部材２と、把持部材３ａ、３ｂとを備える。
【００２１】
単管部材２は、曲線状に湾曲した棒状の単管である。単管部材２は、湾曲部４と、第１の直管部５と、第２の直管部６とを含む。湾曲部４、第１の直管部５および第２の直管部６は一体的に連続して形成されている。湾曲部４は、棒状に延びる単管部材２において曲線状に湾曲した部分である。本実施の形態における湾曲部４は９０度で湾曲している。すなわち、湾曲部４は、環状の単管を４等分したうちの１つに相当する。湾曲部４の一端と他端からは、第１の直管部５と第２の直管部６が延びている（図１における点線参照）。第１の直管部５および第２の直管部６は、棒状に延びる単管部材２において直線状に延びる部分である。湾曲部４が前述した形状を有することにより、第１の直管部５と第２の直管部６は互いに直交して延びる。
【００２２】
第１の直管部５には、把持部材３ａ、３ｂが固着されている。把持部材３ａ、３ｂは、単管（図１では図示せず）を把持可能な構造を有する部材である。本実施の形態では、把持部材３ａ、３ｂとして単クランプが用いられる。図１に示すように、把持部材３ａ、３ｂが固着される場所は、第１の直管部５において、第２の直管部６が配置される側（上側）とは逆側（下側）である。把持部材３ａ、３ｂは、単管部材２の片側（下側）のみに設けられ、単管部材２の反対側（上側）は平坦に形成されている。把持部材３ａ、３ｂはともに、第１の直管部５が延びる方向（矢印Ａ）と同じ方向に１つの単管を把持するように第１の直管部５に固着されている。図示を省略しているが、第２の直管部６の内側には、別の単管を結合させるためのジョイントピン（図示せず）が形成されている。
【００２３】
このような構成を有する端部用部材１が用いられる吊り足場の例として、図２に示す吊り足場７について説明する。
【００２４】
図２は、吊り足場７を概略的に示す斜視図である。吊り足場７は、例えば橋などの構造物に対して作業員が作業を行うための足場として、構造物の下方や側方に設置されるものである。図２に示すように、吊り足場７は、複数の第１の足場板８と、複数の水平単管９（第１の水平単管９）と、複数の水平単管１０（第２の水平単管１０）と、複数の鉛直単管１１と、複数の第１の固定具１２と、複数の第２の固定具１３とを備える。このような構成において、第１の足場板８の上面に一端１１ｅを当接させた状態の鉛直単管１１と、第１の足場板８の下方に配置された水平単管９とを、第１の固定具１２を用いて固定することで、吊り足場７の固定構造が形成される。上述した端部用部材１は、水平単管９を把持するようにして吊り足場７に取り付けられる。すなわち、端部用部材１は、吊り足場７の端部において水平方向に延びるように配置された水平単管９に連結されて、使用される。
【００２５】
第１の足場板８は、作業員が作業を行うための土台となる板状の部材である。本実施の形態におけるそれぞれの第１の足場板８は、長手方向Ｄと長手方向Ｄに直交する短手方向Ｅとを有した矩形状の外形（断面）を有している。水平単管９および水平単管１０は、複数の第１の足場板８を下方側から直接的又は間接的に支持する水平方向に配置されたパイプである。図２に示すように、水平単管１０はＥ方向に延びるように配置され、水平単管９は水平単管１０の下方にてＤ方向に延びるように配置されている。鉛直単管１１は、長手方向Ｄおよび短手方向Ｅを含む水平面に対して垂直な方向である鉛直方向Ｆに沿って延びるように配置されたパイプである。第１の固定具１２は、鉛直単管１１を水平単管９に固定する固定具である。第１の固定具１２は、鉛直単管１１の一端１１ｅが接触する第１の足場板８およびそれに隣接する第１の足場板８の隙間を通じて、鉛直単管１１と水平単管９とを固定している。第２の固定具１３は、鉛直単管１１の他端側を構造物に固定する固定具である。本実施の形態における第２の固定具１３は、鉛直単管１１の他端側を、構造物に設けられた吊りピース１４に固定している。
【００２６】
図２に示すように、鉛直単管１１は、第１の固定具１２によって水平単管９に固定されている。よって、鉛直単管１１に対して、水平単管９の鉛直荷重を含めて、各種の鉛直荷重が第１の固定具１２を介して付与される。一方で、鉛直単管１１の下方側の一端１１ｅは、第１の足場板８の上面に接触するように配置されている。これにより、前述した鉛直単管１１に掛かる鉛直荷重は、第１の足場板８により面で受けられることとなる。このような関係によれば、吊り足場７にかかる鉛直荷重を複数の第１の足場板８で形成する面（水平面）で受けて応力を分散させることができ、いわゆるモノコック構造のような応力分散構造を形成することができる。これにより、吊り足場７をより安定させて、安全性を向上させることができる。
【００２７】
このように構成される吊り足場７の水平単管９に対して、図１で説明した端部用部材１を取り付けた状態について、図３、図４を用いて説明する。
【００２８】
図３、４に示すように、水平単管９を把持した端部用部材１は、第１の直管部５が水平方向に延びて、第２の直管部６が鉛直方向に延びるように、吊り足場７に対して固定される。このような状態において、湾曲部４は、第１の直管部５から吊り足場７の外側に向かって上方へ湾曲するように延びる。
【００２９】
ここで新たに、第２の足場板１５と、幅木１６と、第３の固定具１７と、延長部材１８とが設けられている（図２では図示を省略）。
【００３０】
第２の足場板１５および幅木１６はともに、第１の足場板８と同じ形状を有したプレート状の部材である。第２の足場板１５は、端部用部材１の第１の直管部５上において、その主面が水平方向に延びるように配置される。第２の足場板１５を配置することにより、第１の足場板８の側方にて作業員が作業を行うための足場を組み立てることができる。幅木１６は、端部用部材１の第２の直管部６上において、その主面が鉛直方向（Ｆ方向）に延びるように配置される。幅木１６を配置して隙間をなくすことにより、人や物が落下しないように落下防止機能を持たせることができる。第３の固定具１７は、幅木１６を端部用部材１（第２の直管部６）に固定するための固定具である。延長部材１８は、端部用部材１の第２の直管部６に接続される部材である。本実施の形態では、延長部材１８として単管が用いられ、同じく単管である端部用部材１の第２の直管部６に嵌め込まれて固定される。本実施の形態では、第２の直管部６の内側に、延長部材１８と結合するためのジョイントピン（図示せず）が形成されており、当該ジョイントピンと係合した状態にて延長部材１８が端部用部材１に固定される。延長部材１８は、第２の直管部６と同様に鉛直方向に延びて、端部用部材１の延長部分となる（いわゆる朝顔）。
【００３１】
延長部材１８を設けることにより、延長部材１８および端部用部材１の外側に沿うように落下防止用の網目状のシートや板状のパネルなどを配置することができる。本実施の形態では、端部用部材１に湾曲部４を設けて曲線状に湾曲させている。このような場合、従来のように単管を直交させて端部を形成する場合に比べて、落下防止用のシートやパネルを外側に配置する際に、シートやパネルをより密着させた状態とすることができる。これにより、端部用部材１とシートやパネルとの間に隙間が発生するのを抑制することができ、安全性を向上させることができる。さらに、端部用部材１に湾曲部４を設けて曲線状とすることで、吊り足場７の端部に用いられる端部用部材１の景観性を向上させることができる。このように、本実施の形態の端部用部材１は、安全性と景観性とを両立して向上させることができる。
【００３２】
さらに本実施の形態では、単管部材２において第２の直管部６の内側に別の単管と結合するためのジョイントピンが形成されている。このように外側からは見られない単管部材２の内側に延長部材１８との結合部を設けることにより、単管部材２の外側に結合部を設ける場合に比べて、景観性を向上させることができる。なお、本実施の形態では、結合部としてジョイントピンを用いる場合について説明したが、このような場合に限らず例えば、その他の結合部（例えば、単管同士を平行に保持するクランプなど）を用いてもよい。
【００３３】
さらに本実施の形態では、端部用部材１を第１の水平単管９上に取り付けており、端部用部材１上の第２の足場板１５と、水平単管１０上の第１の足場板８の高さ位置を揃える構成が可能となる。具体的には、最も下方に位置する第１の水平単管９を基準に、その上に端部用部材１（単管部材２）および第２の水平単管１０を配置し、さらにその上に第１の足場板８および第２の足場板１５をそれぞれ配置している。このような高さ関係を有する複数の単管を用いて第１の足場板８および第２の足場板１５を支持することで、第１、第２の足場板８、１５の高さ位置を揃える構成が可能となる。これにより、第１および第２の第１の足場板８、１５同士の間に段差が形成されるのを抑制することができ、足場板８、１５上で作業する作業者が足場板８、１５間の隙間に落ちる、つまづくといったことを抑制することができる。すなわち、安全性を向上させることができる。
【００３４】
さらに本実施の形態では、端部用部材１において、把持部材３ａ、３ｂを単管部材２に固着している。すなわち、単管部材２と把持部材３ａ、３ｂを一体的に形成している。これにより、把持部材を単管部材２と分離したものとして用いる場合に比べて、より安定的な構造とすることができ、安全性を向上させることができる。また本実施の形態では、把持部材３ａ、３ｂを単管部材２の片側（下側）のみに設け、反対側には把持部材を３ａ、３ｂを設けず平坦に形成している。これに対して、把持部材３ａ、３ｂの代わりにクランプなどの別の接続部材を用いて、単管部材と水平単管９を接続する場合、接続部材が配置される単管部材の箇所においては接続部材が突出して、足場板を配置する際の障害となりうる。このような場合に比べて、本実施の形態における端部用部材１によれば、単管部材２において把持部材３ａ、３ｂを片側のみに配置して、反対側は平坦に形成しているため、単管部材２上に第２の足場板１５を密着して配置することができる。これにより、第２の足場板１５を全面的に水平に配置することができ、安全性を向上させることができる。
【００３５】
上述したように、本実施の形態における端部用部材１は、吊り足場７の端部において水平方向に延びるように配置された水平単管９に連結されて、使用される。端部用部材１は、水平単管９を把持する把持部材３ａ、３ｂと、単管としての単管部材２とを備える。単管部材２は、湾曲部４と、第１の直管部５と、第２の直管部６と、を含む。第１の直管部５は、水平単管９と平行となるように直線状に延びて、把持部材３ａ、３ｂが下側に固着される。湾曲部４は、第１の直管部５から吊り足場７の外側に向かって上方へ湾曲する。第２の直管部６は、湾曲部４から直線状に延びる。このような構成によれば、単管部材２の外側に落下防止用のシートやパネルなどを張る際に、単管部材２における湾曲部４に沿うようにシートやパネルを密着させることができる。これにより、落下防止用のシートやパネルを隙間なく張ることができ、安全性を向上させることができる。また、単管部材２に湾曲部４を形成して曲線状とすることにより、端部用部材１としての景観性を向上させることができる。このように、安全性と景観性とを向上させることができる。また、単管を把持するための把持部材３ａ、３ｂを第１の直管部５に固着して一体的に形成しているため、別部材としての把持部材３ａ、３ｂを用いた場合に比べて、より簡易な構造で安定性を向上させることができる。また、単管部材２上に第２の足場板１５を密着して配置することができるため、第２の足場板１５を全面的に水平に配置することができ、安全性を向上させることができる。
【００３６】
また本実施の形態における吊り足場７は、端部用部材１と、第１の水平単管９と、第２の水平単管１０と、複数の第１の足場板８と、複数の第２の足場板１５とを備える。第１の水平単管９は、端部用部材１が有する把持部材３ａ、３ｂによって把持される。第２の水平単管１０は、第１の水平単管９上において端部用部材１が配置される場所とは異なる場所に固定され、第１の水平単管９と交差するように水平方向に延びる。第１の足場板８は、第２の水平単管１０上に配置される。第２の足場板１５は、端部用部材１における第１の直管部５上に配置される。このような構成によれば、第１、第２の足場板８、１５のそれぞれの高さ位置を揃えるような構成が可能となり、第１、第２の足場板８、１５同士の間に生じ得る段差を小さくすることができる。これにより、第１、第２の足場板８、１５上で作業を行う作業者が第１、第２の足場板８、１５間の段差につまずくこと等を抑制することができるため、吊り足場７の安全性を向上させることができる。
【００３７】
以上、上述の実施の形態を挙げて本発明を説明したが、本発明は上述の実施の形態に限定されない。例えば、本実施の形態では、端部用部材１に２つの把持部材３ａ、３ｂを設ける場合について説明したが、このような場合に限らず例えば、１つ又は３つ以上のクランプを設けてもよい。ただし、１つの単管を複数のクランプにより把持する方が、より安定的に把持することができる。
【産業上の利用可能性】
【００３８】
本発明は、対象物を保持する保持具であれば適用可能である。
【符号の説明】
【００３９】
１  端部用部材
２  単管部材
３ａ、３ｂ  把持部材
４  湾曲部
５  第１の直管部
６  第２の直管部
７  吊り足場
８  第１の足場板
９  水平単管（第１の水平単管）
１０  水平単管（第２の水平単管）
１１  鉛直単管
１２  第１の固定具
１３  第２の固定具
１４  吊りピース
１５  第２の足場板
１６  幅木
１７  第３の固定具
１８  延長部材（朝顔）
【図１】
2016169575.tif 000003
【図２】
2016169575.tif 000004
【図３】
2016169575.tif 000005
【図４】
2016169575.tif 000006